(57)【要約】【課題】視覚障害者が容易に水位合わせを行うことのできる炊飯器の内釜、水位表示板、及び炊飯器を得る。【解決手段】内釜１の内周面には、水位を示す凹状、凸状、または凹凸状の目盛部２、及び、目盛部２の近傍に設けられ目盛部２が示す水位を点字で表示する水位表示点字部３を有する水位表示部４が設けられている。【選択図】図１
2013208213.tif 000002
【特許請求の範囲】
【請求項１】
水位を示す凹状、凸状、または凹凸状の目盛部、及び、前記目盛部の近傍に設けられ前記目盛部が示す水位を点字で表示する点字表示部を有する水位表示部が、内周面に設けられている
ことを特徴とする内釜。
【請求項２】
前記目盛部は、水平方向に延びる棒形状であり、
前記点字表示部は、前記目盛部の左右両側にそれぞれ設けられている
ことを特徴とする請求項１記載の内釜。
【請求項３】
上周縁に設けられたフランジ部と、
前記水位表示部の上側であって、前記フランジ部の外周側面、前記フランジ部の下面、及び前記フランジ部よりも下側の前記内周面の少なくともいずれか一箇所に、凹状、凸状、または凹凸状の標識部を備えた
ことを特徴とする請求項１または請求項２に記載の内釜。
【請求項４】
前記内周面の周方向に、複数の前記水位表示部を備えた
ことを特徴とする請求項１〜請求項３のいずれか一項に記載の内釜。
【請求項５】
請求項１〜請求項４のいずれか一項に記載の内釜を備えたことを特徴とする炊飯器。
【請求項６】
水位を示す凹状、凸状、または凹凸状の目盛部、及び、前記目盛部の近傍に設けられ前記目盛部が示す水位を点字で表示する点字表示部が形成された表示板と、
前記表示板を起立させる脚部とを備えた
ことを特徴とする水位表示板。
【請求項７】
水位を示す凹状、凸状、または凹凸状の目盛部、及び、前記目盛部の近傍に設けられ前記目盛部が示す水位を点字で表示する点字表示部が形成された表示板と、
前記表示板の上部に設けられ、炊飯器の内釜の上周縁に設けられたフランジ部の上に載置される引っ掛け部とを備えた
ことを特徴とする水位表示板。
【請求項８】
前記引っ掛け部は、炊飯器の内釜の上周縁に設けられたフランジ部の表面に沿う曲面形状を有している
ことを特徴とする請求項７記載の水位表示板。
【請求項９】
前記表示板は、炊飯器の内釜の内周面に沿う曲面形状を有している
ことを特徴とする請求項７または請求項８に記載の水位表示板。
【請求項１０】
請求項６〜請求項９のいずれか一項に記載の水位表示板を備えたことを特徴とする内釜。
【請求項１１】
請求項１０に記載の内釜を備えたことを特徴とする炊飯器。
【発明の詳細な説明】
【技術分野】
【０００１】
本発明は、炊飯器の内釜、水位表示板、及びこれらを備えた炊飯器に関する。
【背景技術】
【０００２】
従来、炊飯器の内釜の水位を見やすくするために、「米と水を入れる内釜の内側側面の縦方向に、凹部、凸部または凹凸部を設けて水位表示部を形成」した炊飯器が提案されている。この炊飯器の内釜に水を入れると、凹部、凸部または凹凸部で形成された水位表示部では他の部分とは違った水の屈折が発生するため、水の入っている境界面が鮮明になるとされている（例えば、特許文献１参照）。
【先行技術文献】
【特許文献】
【０００３】
【特許文献１】特開２００７−２９２１１号公報（第２頁、図１）
【発明の概要】
【発明が解決しようとする課題】
【０００４】
しかしながら、光の屈折を利用した上記特許文献１に記載の構成は、視覚障害者が水位合わせをする際には利用できなかった。このため、視覚障害者は、水位合わせをする際にどこまで水を入れたらよいのか分かりにくく、正確な水位合わせが困難であった。
【０００５】
本発明は、上記のような課題を解決するためになされたもので、視覚障害者が容易に水位合わせを行うことのできる炊飯器の内釜、水位表示板、及び炊飯器を提供するものである。
【課題を解決するための手段】
【０００６】
本発明に係る内釜は、水位を示す凹状、凸状、または凹凸状の目盛部、及び、前記目盛部の近傍に設けられ前記目盛部が示す水位を点字で表示する点字表示部を有する水位表示部が、内周面に設けられているものである。
【０００７】
本発明に係る水位表示板は、水位を示す凹状、凸状、または凹凸状の目盛部、及び、前記目盛部の近傍に設けられ前記目盛部が示す水位を点字で表示する点字表示部が形成された表示板と、前記表示板を起立させる脚部とを備えたものである。
【０００８】
本発明に係る水位表示板は、水位を示す凹状、凸状、または凹凸状の目盛部、及び、前記目盛部の近傍に設けられ前記目盛部が示す水位を点字で表示する点字表示部が形成された表示板と、前記表示板の上部に設けられ、炊飯器の内釜の上周縁に設けられたフランジ部の上に載置される引っ掛け部とを備えたものである。
【発明の効果】
【０００９】
本発明によれば、凹状または凸状の目盛部及び点字表示部により、手の感触で水位を確認することができるので、視覚障害者が水加減を行いやすい。
【図面の簡単な説明】
【００１０】
【図１】実施の形態１に係る内釜の外観斜視図である。
【図２】実施の形態１に係る炊飯器の断面模式図である。
【図３】実施の形態１に係る内釜の水位表示部を説明する図である。
【図４】実施の形態２に係る内釜の水位表示部を説明する図である。
【図５】実施の形態２に係る内釜の標識部と蓋パッキンとの配置関係を説明する図である。
【図６】実施の形態２に係る内釜の標識部の他の配置例を示す図である。
【図７】実施の形態２に係る内釜の標識部の他の配置例を示す図である。
【図８】実施の形態３に係る内釜の外観斜視図である。
【図９】実施の形態４に係る水位表示板及び内釜の外観斜視図である。
【図１０】実施の形態４に係る水位表示板及び内釜の使用状態を説明する要部断面図である。
【図１１】実施の形態５に係る水位表示板及び内釜の外観斜視図である。
【図１２】実施の形態５に係る水位表示板及び内釜の使用状態を説明する要部断面図である。
【発明を実施するための形態】
【００１１】
以下、本発明に係る内釜、水位表示板、及び炊飯器の実施の形態を、図面を参照して説明する。なお、以下に示す図面の形態によって本発明が限定されるものではない。また、各図において、同一の符号を付したものは、同一の又はこれに相当するものであり、このことは明細書の全文において共通している。
【００１２】
実施の形態１．
図１は、実施の形態１に係る内釜の外観斜視図である。図２は、実施の形態１に係る炊飯器の断面模式図である。
【００１３】
まず、炊飯器１００の全体構成を説明する。
図２に示すように、炊飯器１００は、例えば外観が有底筒状に形成された本体１１と、外蓋１２及び内蓋１３を有し本体１１の上部開口を開閉自在に覆う蓋体１４とを備える。本体１１の内部には、有底筒状の容器カバー１５と、本体１１の底部に設けられた加熱手段としての加熱コイル１６とが設けられている。なお、加熱手段として、加熱コイル１６に代えてシーズヒーター等の電気ヒーターを設けてもよい。  
【００１４】
容器カバー１５内には、内釜１が着脱自在に収容される。内釜１の上周縁には、フランジ部１０が形成されている。内蓋１３の下面側（内釜１側）の周縁部には、内釜１のフランジ部１０との密閉性を確保するためのシール材である蓋パッキン１７が取り付けられている。
【００１５】
使用者が、内釜１内に米と水を入れ、蓋体１４を閉めて図示しない操作部を操作して炊飯開始を指示すると、加熱コイル１６によって内釜１が加熱され、内釜１の熱が内釜１内の米と水に伝わり、内釜１内でご飯が炊き上げられる。
【００１６】
次に、内釜１の構成を説明する。
図３は、実施の形態１に係る内釜の水位表示部を説明する図であり、図３（ａ）は正面図、図３（ｂ）は断面図である。
図１、図３に示すように、内釜１の内周面には、複数の目盛部２と、水位表示点字部３とを有する水位表示部４が設けられている。また、本実施の形態１では、水位表示部４の上方には種別表示点字部５が設けられ、目盛部２の近傍に数値表示部６が設けられている。
【００１７】
目盛部２は、米の合数に対する適正な水の量を水位で示すものであり、各目盛部２は、正面から見て水平に延びる棒（横線）形状を有している。図３に示す目盛部２は、内釜１の内周面から突出する凸状リブで構成されている。なお、凸状のリブのほか、凹状の溝、あるいは凹凸形状の組み合わせにより、目盛部２を構成することができる。いずれにしても目盛部２は、使用者が目盛部２を指でなぞったときに、内釜１の内周面とは感触で区別できる段差を有していればよい。なお、この目盛部２に、内釜１の内周面とコントラストの強い色を付けてもよい。このようにすることで、目盛部２の視認性を向上させることができるため、健常者にとって見やすくなる。
【００１８】
水位表示点字部３は、各目盛部２が示す情報、例えば、各目盛部２が示す水位（米の合数）に対応した数字を、点字で表す。水位表示点字部３は、本実施の形態１では、略水平方向に延びる目盛部２の左右それぞれの近傍に設けられている。このようにすることで、使用者が目盛部２に沿って水平方向に指を動かすと、目盛部２の左右両端に位置する水位表示点字部３に触れることができる。したがって、使用者は、目盛部２と水位表示点字部３との対応を容易に認識することができ、水位を間違えにくい。
【００１９】
種別表示点字部５は、当該目盛部２が対象としている米の種類や炊飯メニューに関する情報を、点字で示す。例えば、目盛部２が「白米」と「無洗米」の炊飯に対応した水位目盛である場合、図３に示すように種別表示点字部５は、「白米」と「無洗米」を点字で表示する。図３に例示した米の種類のほか、例えば、「すしめし」、「炊き込み」といった炊飯メニューに対応した目盛部２を設ける場合には、その情報を種別表示点字部５にて点字で表示することができる。
【００２０】
数値表示部６は、目盛部２が示す水位に対応した数字を示す。数値表示部６は、例えば印刷や刻印により設けられている。
【００２１】
このような構成において、内釜１を用いて水位合わせをする際には、使用者は、内釜１の内周壁に設けられた水位表示部４と水面とを手で触れながら、水位の確認をする。本実施の形態１では、内釜１の内周面に、凹状、凸状、または凹凸状の目盛部２と、目盛部２の近傍に設けられ目盛部２が示す情報を点字で表す水位表示点字部３を設けたので、視覚障害者による内釜１内の水位合わせが容易になり、使い勝手のよい炊飯器を得ることができる。また、使用者が目盛部２に沿って水平方向に指を動かすと、目盛部２の左右両端に位置する水位表示点字部３に触れることができる。したがって、使用者は、目盛部２と水位表示点字部３との対応を容易に認識することができ、水位を間違えにくいので、使い勝手がよい。
【００２２】
実施の形態２．
図４は、実施の形態２に係る内釜の水位表示部を説明する図であり、図４（ａ）は正面図、図４（ｂ）は断面図である。本実施の形態２では、実施の形態１との相違点を中心に説明し、実施の形態１と同様の構成には同一の符号を付す。
【００２３】
図４に示すように、水位表示部４の上側であって、フランジ部１０よりも下側の内釜１Ａの内面には、標識部７が設けられている。標識部７は、内釜１の内周面の周方向における水位表示部４の位置を示すためのものであり、本実施の形態２では、正面から見て三角形の凸部により構成されている。なお、標識部７は、内釜１Ａの内面から突出する凸部で構成するほか、凹部、あるいは凸部と凹部の組み合わせにより構成することもできる。いずれにしても標識部７は、使用者が標識部７を指でなぞったときに、内釜１Ａの内周面とは感触で区別できる段差を有していればよい。
【００２４】
図５は、実施の形態２に係る内釜の標識部と蓋パッキンとの配置関係を説明する図である。ここでは、２タイプの蓋パッキン１７を例に、標識部７の配置を説明する。図５（ａ）では、内釜１Ａのフランジ部１０の上面に圧接される蓋パッキン１７を示している。また、図５（ｂ）では、蓋パッキン１７の一部が内釜１Ａの内部上部に入り込んで内蓋１３と内釜１Ａとの密閉性を確保する構成例を示している。図５（ａ）、図５（ｂ）のいずれにおいても、標識部７は、内蓋１３が閉められたときに蓋パッキン１７が当接する部分を避けて、その蓋パッキン１７が当接する位置よりも下側に、設けられている。このため、凹状あるいは凸状の標識部７が、蓋パッキン１７のシール効果に影響を与えることがない。このように、内釜１Ａの上部という使用者が触って確認しやすい位置に、蓋パッキン１７のシール効果に影響を与えることなく、標識部７を設けることができる。
【００２５】
図６、図７は、実施の形態２に係る内釜の標識部の他の配置例を示す図である。図６（ａ）、図７（ａ）は、図５（ａ）と同様の蓋パッキン１７の構成例、図６（ｂ）、図７（ｂ）は図５（ｂ）と同様の蓋パッキン１７の構成例を示している。
図６では、標識部７は、フランジ部１０の外周側面に設けられている。また、図７では、標識部７は、フランジ部１０の下面に設けられている。このように、フランジ部１０の外周側面やフランジ部１０の下面に標識部７を設けてもよく、標識部７が蓋パッキン１７のシール効果に影響を与えることがない。また、フランジ部１０の外周側面やフランジ部１０の下面は、ともに内釜１の上部であって使用者が触れやすい場所であるので、標識部７を確認しやすい。
【００２６】
このように、本実施の形態２では、内釜１Ａの水位表示部４の上方に、凹状、凸状、または凹凸状の標識部７を設けたので、使用者は内釜１Ａの上部を指でなぞるだけで、水位表示部４の周方向の位置を容易に認識することができる。
【００２７】
実施の形態３．
図８は、実施の形態３に係る内釜の外観斜視図である。
図８に示すように、本実施の形態３に係る内釜１Ｂの内周面には、周方向に複数の水位表示部４が設けられている。水位表示部４は、実施の形態１で説明したものと同様の構成である。なお、本実施の形態３では、三箇所に水位表示部４を設けた例を示しているが、この数を限定するものではない。また、実施の形態２で示した標識部７を、複数の水位表示部４のそれぞれに対応させて設けてもよい。
【００２８】
このように複数の水位表示部４を設けることで、使用者が内釜１Ｂの内周面を手でなぞりながら水位表示部４を探しやすい。このため、内釜１Ｂの周方向の向きにかかわらず、使用者は容易に水位表示部４を見つけることができ、使い勝手がよい。また、探り当てた水位表示部４の位置が所望の位置でないときに、内釜１Ｂを周方向に回転させて水位表示部４を所望の位置に移動させるときの移動量も少なくてすむので、使い勝手がよい。
また、複数の水位表示部４のそれぞれで使用者が水位を確認することで、内釜１Ｂが傾いているか否かが分かるので、水位合わせの失敗を抑制することができる。
【００２９】
実施の形態４．
図９は、実施の形態４に係る水位表示板及び内釜の外観斜視図である。図１０は、実施の形態４に係る水位表示板及び内釜の使用状態を説明する要部断面図である。
本実施の形態４では、実施の形態１で示したのと同様の水位表示部４が、内釜１Ｃとは別体の水位表示板２０に設けられている。なお、本実施の形態４の内釜１Ｃは、必ずしも目盛部２と水位表示点字部３とを要しない。
【００３０】
水位表示板２０は、実施の形態１と同様の目盛部２、水位表示点字部３、種別表示点字部５、及び数値表示部６を有する板状の表示板２１と、この表示板２１を起立させる脚部２２とを備える。目盛部２、水位表示点字部３、種別表示点字部５、及び数値表示部６は、表示板２１の片面にのみ設けられていてもよいし、両面に設けられていてもよい。
【００３１】
表示板２１は、例えば、金型を用いて合成樹脂材料を成形することにより製造することができる。このようにすることで、目盛部２や水位表示点字部３の凹凸形状を明瞭に、また安価に作成することができる。材料を限定するものではないが、合成樹脂材料として好適な材料としては、例えばポリプロピレン材が挙げられる。ポリプロピレン材は、成形に適しており、重量も軽いので扱いやすい。
【００３２】
脚部２２は、内釜１Ｃの底面に表示板２１を起立させるためのものである。本実施の形態４では、脚部２２は、平板状の表示板２１の前面及び背面の下端からその面に直交する方向に張り出しており、図１０に示すように、表示板２１と脚部２２の断面形状は、略逆Ｔ字形状である。なお、表示板２１が自立できるような形状であれば、脚部２２の具体的形状はこれに限定されない。例えば、表示板２１と脚部２２の断面形状が略Ｌ字形状になるように、平板状の表示板２１との間に鋭角あるいは直角をなすように平板状の脚部２２を表示板２１の下端に設けてもよい。表示板２１と脚部２２を一体成形してもよいし、脚部２２を別体で作成して表示板２１に取り付けてもよい。
【００３３】
目盛部２は、内釜１Ｃの底面に水位表示板２０を起立させた状態で、内釜１Ｃで炊飯する米の合数に対応した水位を示すように構成されている。使用者は、点字等が設けられておらず印字の目盛のみを有する内釜１Ｃであっても、水位表示板２０を用いることで、目盛部２、水位表示点字部３、及び水面を触れたときの感触で水位合わせをすることができ、実施の形態１と同様の効果を得ることができる。また、水位表示板２０は脚部２２によって内釜１Ｃの底に安定して自立できるので、使用者は、正確な水位合わせを行いやすい。また、水位表示板２０を内釜１Ｃとは別体で設けたので、互いの製造加工上の制約に影響されることなく、内釜１Ｃと水位表示板２０を安価に製造することができる。
【００３４】
実施の形態５．
本実施の形態５では、実施の形態４で示した水位表示板の他の構成例を説明する。本実施の形態５では、実施の形態４との相違点を中心に説明し、実施の形態４と同様の構成には同一の符号を付す。
【００３５】
図１１は、実施の形態５に係る水位表示板及び内釜の外観斜視図である。図１２は、実施の形態５に係る水位表示板及び内釜の使用状態を説明する要部断面図である。
図１１に示すように、実施の形態５に係る水位表示板２０Ａは、表示板２１Ａと、引っ掛け部２３とを備えている。表示板２１Ａには、実施の形態４と同様に、目盛部２、水位表示点字部３、種別表示点字部５、及び数値表示部６を有する水位表示部４が設けられている。
【００３６】
本実施の形態５の表示板２１Ａは、略円筒状の内釜１Ｃの内周に沿って湾曲した板形状である。本実施の形態５では、表示板２１Ａの片面にのみ水位表示部４が設けられており、水位表示部４が設けられている面を前面、その反対側の面を背面という。表示板２１Ａの上端部には、表示板２１Ａの背面側に向かって延びる引っ掛け部２３が連なっている。引っ掛け部２３は、内釜１Ｃのフランジ部１０から内釜１Ｃの内周面上部に至る部分に沿った形状を有している。図１１に示すように、表示板２１Ａと引っ掛け部２３の断面形状は略Ｌ字状である。引っ掛け部２３をフランジ部１０の上に載置すると、引っ掛け部２３及び表示板２１Ａが、フランジ部１０の上面から内釜１Ｃの内周面に至る領域に沿うようになっている。このように、本実施の形態５の表示板２１Ａは、引っ掛け部２３によって、内釜１Ｃのフランジ部１０に懸架される構成である。
【００３７】
表示板２１Ａに設けられた目盛部２は、水位表示板２０Ａが内釜１のフランジ部１０に掛けられた状態で、内釜１Ｃで炊飯する米の合数に対応した水位を示すように構成されている。使用者は、点字等が設けられておらず印字の目盛のみを有する内釜１Ｃであっても、水位表示板２０Ａを用いることで、目盛部２、水位表示点字部３、及び水面を触れたときの感触で水位合わせをすることができ、実施の形態１と同様の効果を得ることができる。また、水位表示板２０Ａは引っ掛け部２３により内釜１Ｃのフランジ部１０に安定的に載置されるので、使用者は、正確な水位合わせを行いやすい。また、水位表示板２０Ａを内釜１Ｃとは別体で設けたので、互いの製造加工上の制約に影響されることなく、内釜１Ｃと水位表示板２０Ａを安価に製造することができる。
【符号の説明】
【００３８】
１  内釜、１Ａ  内釜、１Ｂ  内釜、１Ｃ  内釜、２  目盛部、３  水位表示点字部、４  水位表示部、５  種別表示点字部、６  数値表示部、７  標識部、１０  フランジ部、１１  本体、１２  外蓋、１３  内蓋、１４  蓋体、１５  容器カバー、１６  加熱コイル、１７  蓋パッキン、２０  水位表示板、２０Ａ  水位表示板、２１  表示板、２１Ａ  表示板、２２  脚部、２３  引っ掛け部、１００  炊飯器。
【図１】
2013208213.tif 000003
【図２】
2013208213.tif 000004
【図３】
2013208213.tif 000005
【図４】
2013208213.tif 000006
【図５】
2013208213.tif 000007
【図６】
2013208213.tif 000008
【図７】
2013208213.tif 000009
【図８】
2013208213.tif 000010
【図９】
2013208213.tif 000011
【図１０】
2013208213.tif 000012
【図１１】
2013208213.tif 000013
【図１２】
2013208213.tif 000014